(57)【要約】【課題】より耐久性に優れた木質耐震壁を提供する。【解決手段】四隅に面取り部１０ａ、１１ａを設けて形成され、互いに重ね合せるように配設される一対の木板１０、１１と、一対の木板１０、１１の各面取り部１０ａ、１１ａから一部を露出させて接合部１２を形成しつつ、一対の木板１０、１１の間に介装して配設される鋼板１３と、鋼板１３と木板１０、１１を一体に接合するための接合具１４と、鋼板１３の接合部１２に一体に設けられ、接合部１２に作用した外力の一部を面取り部１０ａ、１１ａから木板１０、１１に伝達させるための応力伝達用部材１５とを備える。【選択図】図１
2015086517.tif 000002
【特許請求の範囲】
【請求項１】
四隅に面取り部を設けて形成され、互いに重ね合せるように配設される一対の木板と、
前記一対の木板の各面取り部から一部を露出させて接合部を形成しつつ、前記一対の木板の間に介装して配設される鋼板と、
前記鋼板と前記木板を一体に接合するための接合具と、
前記鋼板の接合部に一体に設けられ、前記接合部に作用した外力の一部を前記面取り部から前記木板に伝達させるための応力伝達用部材とを備えて構成されていることを特徴とする木質耐震壁。
【請求項２】
請求項１記載の木質耐震壁において、
前記木板が凹部を備え、前記凹部の大きさ、形状、数、位置により前記木板の剛性が調節されていることを特徴とする木質耐震壁。
【発明の詳細な説明】
【技術分野】
【０００１】
本発明は、木板を用いて形成された木質耐震壁に関する。
【背景技術】
【０００２】
従来、住宅等の木造建築の耐震壁（木質耐震壁）としては、例えば、構造用合板や単板積層材、直交集成板などの木板の周囲に釘、ボルト、木ネジ、ピンなどの接合具によって金属製の枠材を取り付けて構成したものが多用されている（例えば、特許文献１、特許文献２参照）。
【０００３】
例えば、この種の木質耐震壁Ａとしては、図５及び図６に示すように、方形平板状の一対の木板１、２の両側部１ａ、２ａ側に矩形平板状の鋼板３を介装し、一対の木板１、２と鋼板３を積層して構成したものがある。また、鋼板３を一対の木板１、２の各側部１ａ、２ａから外側に突出させるようにし、釘、ボルト、木ネジ、ピンなどの接合具４で一対の木板１、２に接合することにより、一対の鋼板３が枠材として配設される。
【０００４】
さらに、このように構成した木質耐震壁Ａは、四隅側にそれぞれ、接合孔５が貫通形成され、ボルトなどの接合具６を用いて柱や梁などの建物の架構に接合したり、また、木質耐震壁（木質耐震壁ユニット）Ａ同士を接合し、柱と梁で囲まれた建物の架構面内などに設置される。
【先行技術文献】
【特許文献】
【０００５】
【特許文献１】特開平９−２２８５４８号公報
【特許文献２】特開２００２−１６１５９６号公報
【発明の概要】
【発明が解決しようとする課題】
【０００６】
しかしながら、上記従来の木質耐震壁Ａにおいては、図５に示すように、木板１、２からなる耐震壁本体に枠材（鋼板３）から入力される地震力などの水平力（荷重Ｐ）のほとんどすべてが接合具４を介して木板１、２に伝達される。このため、接合具４を多数配置しないと、木板１、２そのものの面としての抵抗力が十分に発揮される前に、言い換えれば木板１、２のせん断耐力が十分に発揮される前に、接合具４と木板１、２の接合部付近で木板１、２に亀裂が発生してしまい、木板１、２の接合部に破壊が生じ、さらに木質耐震壁Ａ全体に破壊が生じるおそれがある。
【０００７】
本発明は、上記事情に鑑み、より耐久性に優れた木質耐震壁を提供することを目的とする。
【課題を解決するための手段】
【０００８】
上記の目的を達するために、この発明は以下の手段を提供している。
【０００９】
本発明の木質耐震壁は、四隅に面取り部を設けて平面視八角形状で形成され、互いに重ね合せるように配設される一対の木板と、前記一対の木板の各面取り部から一部を露出させて接合部を形成しつつ、前記一対の木板の間に介装して配設される鋼板と、前記鋼板と前記木板を一体に接合するための接合具と、前記鋼板の接合部に一体に設けられ、前記接合部に作用した外力の一部を前記面取り部から前記木板に伝達させるための応力伝達用部材とを備えて構成されていることを特徴とする。
【００１０】
また、本発明の木質耐震壁においては、前記木板が凹部を備え、前記凹部の大きさ、形状、数、位置により前記木板の剛性が調節されていることが望ましい。
【発明の効果】
【００１１】
本発明の木質耐震壁においては、鋼板の接合部に設けられた応力伝達用部材を介して木板に入力される荷重（地震力等の外力）により、木板の対角線方向に圧縮ストラット（圧縮束）を形成することが可能になる。そして、木質耐震壁に入力される水平力（外力、荷重）を、圧縮ストラットと、接合具を介して木板内に伝達される荷重とに分散させることができる。
【００１２】
これにより、接合具部分のみを介して荷重を負担する従来の木質耐震壁と比較して接合具付近の荷重負担を低減させることが可能になり、この部分での木板への亀裂による破壊を生じにくくすることができる。すなわち、耐久性に優れた木質耐震壁を実現することができる。
【００１３】
また、本発明の木質耐震壁においては、木板内に空隙を設けるなどして木板に凹部を設けることにより、木板の剛性を調節することができ、木板の座屈を防止することができる。すなわち、木板に設ける凹部（空隙）の大きさ、形、数量、位置等を調節することで、圧縮ストラット部分と、接合具部分の荷重負担の割合を、木質耐震壁全体の耐力、剛性が最適になるように調節することが可能になる。
【図面の簡単な説明】
【００１４】
【図１】本発明の一実施形態に係る木質耐震壁を示す平面視図である。
【図２】図１のＸ１−Ｘ１線矢視図である。
【図３】本発明の一実施形態に係る木質耐震壁を木質耐震壁ユニットとし、複数の木質耐震壁ユニットを接合して建物構面内に耐震壁を形成した状態を示す図である。
【図４】本発明の一実施形態に係る木質耐震壁の変更例を示す平面視図である。
【図５】従来の木質耐震壁を示す平面視図である。
【図６】図５のＸ１−Ｘ１線矢視図である。
【発明を実施するための形態】
【００１５】
以下、図１から図３を参照し、本発明の一実施形態に係る木質耐震壁について説明する。
【００１６】
本実施形態の木質耐震壁Ｂは、図１及び図２に示すように、四隅に面取り部１０ａ、１１ａを設けて平面視八角形状で形成され、互いに重ね合せるように配設された一対の木板１０、１１と、一対の木板１０、１１の各面取り部１０ａ、１１ａから一部を露出させて接合部１２を形成しつつ、一対の木板１０の間に介装して配設される複数の鋼板１３と、鋼板１３と木板１０、１１を一体に接合するための接合具１４と、鋼板１３の接合部１２に一体に設けられ、接合部１２に作用した外力（荷重Ｐ）の一部を面取り部１０ａ、１１ａから木板１０、１１に伝達させるための応力伝達用部材１５とを備えて構成されている。
【００１７】
また、各木板１０、１１としては、例えば構造用合板、単板積層材、直交集成材などの板状の木質材料が用いられている。そして、鋼板１３と一対の木板１０、１１は、釘、ボルト、木ネジ、ピンなどの接合具１４を用いて一体に固設されている。さらに、木板１０、１１は、溝や孔等の空隙（凹部）１６を設け、この空隙１６の大きさ、形状、数、位置等によって、その剛性を調節して形成されていてもよい。
【００１８】
さらに、本実施形態の木質耐震壁Ｂは、一対の木板１０、１１の四隅の面取り部１０ａ、１１ａによって方形平板状の鋼板１３の四隅の角部がそれぞれ露出されており、一対の木板１０、１１の面取り部１０ａ、１１ａに当接するようにして、露出した鋼板１０、１１の一面及び他面に鋼板などの応力伝達用部材１５が溶接、ボルト留め、接着などして固設されている。また、鋼板１３の角部には、接合孔１７が設けられ、例えば図３に示すように、この接合孔１７を利用して複数の木質耐震壁Ｂの鋼板１３の角部同士を接続し、複数の木質耐震壁（木質耐震壁ユニット）Ｂ同士を連結することで、一つの大きな耐震壁を形成できるように構成されている。なお、勿論、接合孔１７を利用して建物の柱１８や梁１９の架構に接続し、一つの木質耐震壁Ｂを設置することによって耐震壁を構築してもよい。
【００１９】
そして、上記構成からなる本実施形態の木質耐震壁Ｂにおいては、図１に示すように、耐震壁Ｂに入力する地震力などの水平力による荷重Ｐのうちの一部の荷重Ｐ１が応力伝達用部材１５を介して木板１０、１１に伝達され、この一部の荷重Ｐ１による圧縮ストラットが形成される。また、残りの荷重Ｐ２は接合具１４と木板１０、１１の接合部分を介して木板１０、１１に伝達される。
【００２０】
これにより、従来の木質耐震壁Ａと比較して接合具１４と木板１０、１１の接合部分の負担が小さくなるとともに、木板１０、１１の面としての抵抗力が十分に発揮されることになる。
【００２１】
したがって、本実施形態の木質耐震壁Ｂにおいては、従来の接合具１４の他に、接合具１４を介さずに水平力（外力、荷重）を直接、木板１０、１１に伝達する仕組みを加えて荷重Ｐを分散させることができる。これにより、接合具１４周辺の荷重負担割合を低減することが可能になる。
【００２２】
また、木板１０、１１の面取り部１２に取り付けた応力伝達用部材１５を介して木板１０、１１に荷重Ｐが入力されるようにしたことで、木板１０、１１の対角線方向に圧縮ストラット（圧縮束）を形成することが可能になる。そして、木質耐震壁Ｂに入力される水平力を、圧縮ストラット（荷重Ｐ１）と、接合具１４を介して木板１０、１１内に伝達される荷重Ｐ２とに分散させることができる。
【００２３】
これにより、接合具１４部分のみを介して荷重Ｐを負担する従来の木質耐震壁Ａと比較して確実に接合具１４付近の荷重負担を低減させることが可能になり、この部分での木板１０、１１への亀裂による破壊を生じにくくすることができる。すなわち、耐久性に優れた木質耐震壁Ｂを確実に実現することができる。
【００２４】
ここで、圧縮ストラットによる荷重負担の割合が大き過ぎると、木板１０、１１全体が座屈するおそれがある。これに対し、本実施形態の木質耐震壁Ｂにおいては、木板１０、１１内に空隙（凹部）１６を設けて木板１０、１１の剛性を低減させることにより、座屈を防止することができる。また、木板１０、１１に設ける空隙（凹部）１６の大きさ、形、数、位置等を調節することで、圧縮ストラット部分と、接合具部分の荷重負担の割合を、耐震壁全体の耐力、剛性が最適になるように調節することが可能になる。
【００２５】
以上、本発明による木質耐震壁の一実施形態について説明したが、本発明は上記の一実施形態に限定されるものではなく、その趣旨を逸脱しない範囲で適宜変更可能である。
【００２６】
本発明に係る鋼板１３は、一対の木板１０、１１の各面取り部１０ａ、１１ａから一部を露出させて接合部１２を形成しつつ、一対の木板１０、１１の間に介装して配設されていればよい。例えば、図４（ａ）から図４（ｄ）に示すように、矩形平板状の鋼板１３を左右に設置したり（図４（ａ））、上下に設置したり（図４（ｂ））、方形平板状の鋼板１３を四隅にそれぞれ設置したり（図４（ｃ））、ロ型の鋼板１３を設置して（図４（ｄ））、木質耐震壁Ｂを構成してもよい。この場合においても、本実施形態と同様の作用効果を得ることが可能である。
【００２７】
また、木板１０、１１は四隅に面取り部１０ａ、１１ａが形成されていればよく、平面視八角形状で形成されていることに限定する必要はない。
【符号の説明】
【００２８】
１      木板
１ａ    側部
２      木板
２ａ    側部
３      鋼板
４      接合具
５      接合孔
６      接合具
１０    木板
１０ａ  面取り部
１１    木板
１１ａ  面取り部
１２    接合部
１３    鋼板
１４    接合具
１５    応力伝達用部材
１６    凹部（空隙）
１７    接合孔
１８    柱
１９    梁
Ａ      従来の木質耐震壁
Ｂ      木質耐震壁
【図１】
2015086517.tif 000003
【図２】
2015086517.tif 000004
【図３】
2015086517.tif 000005
【図４】
2015086517.tif 000006
【図５】
2015086517.tif 000007
【図６】
2015086517.tif 000008